(57)【要約】【課題】スマートメーターを経由して画像形成装置の消費電力を制御できる電力抑制システム画像形成装置を提供する。【解決手段】電力抑制システム１０は、企業オフィス１２が電力会社とＢＥＭＳ(ビル管理システム)契約し、スマートメーター２００と画像形成装置３００がネットワーク６００に接続されている。画像形成装置３００が電力会社１１からスマートメーター２００を経由して電力抑制設定通知を受信すると、画像形成装置３００の操作パネルの電源をオフにして使用を禁止し、画像形成装置３００の操作はモバイル端末４００から行い、またユーザー権限に応じた画像形成装置３００の機能毎の使用制限を行う。画像形成装置３００が電力会社１１からスマートメーター２００を経由して電力抑制解除通知を受信すると、画像形成装置３００の操作パネルの電源をオンにして使用を許可し、またユーザー権限に応じた画像形成装置３００の機能毎の使用制限を解除する。【選択図】図１
2016103776.tif 000002
【特許請求の範囲】
【請求項１】
ネットワークを介して接続された電力管理装置、モバイル端末、及び被管理装置を有し、
前記モバイル端末は、
実行要求されたジョブの機能番号を格納したジョブ実行要求通知を出力するジョブ実行要求部と、
前記ジョブ実行要求部から前記ジョブ実行要求通知を入力して前記被管理装置に送信するジョブ実行要求通知送信部と
を備え、
前記被管理装置は、
前記電力管理装置から電力抑制設定通知または電力抑制解除通知を受信する電力抑制設定／解除通知受信部と、
前記電力抑制設定通知を入力すると操作パネルの使用を禁止して操作パネルの電源をオフにし、前記電力抑制解除通知を受信すると操作パネルの使用を許可して操作パネルの電源をオンにする電力抑制設定／解除部と、
前記ジョブ実行要求通知を前記モバイル端末から受信するジョブ実行要求通知受信部と、
前記ジョブ実行要求通知に格納された前記機能番号の機能を実行するジョブ実行部とを備え
ることを特徴とする電力抑制システム。
【請求項２】
前記ジョブ実行要求部は、ジョブの実行要求を行ったユーザーのユーザー識別情報を前記ジョブ実行要求通知に格納し、
前記電力抑制設定／解除通知受信部が前記電力抑制設定通知を受信したときには、前記ジョブ実行部は、前記ジョブ実行要求通知に格納されたユーザー識別情報に対応するユーザー権限に応じて機能毎の使用制限を行うことを特徴とする請求項１に記載のユーザー電力制御システム。
【請求項３】
前記電力抑制設定／解除通知受信部が前記電力抑制解除通知を受信したときには、前記ジョブ実行部は、ユーザー権限に応じた機能毎の使用制限を解除することを特徴とする請求項２に記載の電力抑制システム。
【請求項４】
前記電力管理装置は、ネットワークを介して外部から前記電力抑制設定通知及び電力抑制解除通知を受信し、前記電力抑制設定／解除通知受信部に転送することを特徴とする請求項１から３のいずれか一項に記載の電力抑制システム。
【請求項５】
電力監視装置を有し、
前記電力管理装置は、
前記電力監視装置から電力抑制設定通知を受信すると前記被管理装置の情報に基づいて前記電力抑制設定通知を送信する前記被管理装置を選択し、前記電力監視装置から電力抑制解除通知を受信すると前記電力抑制設定通知を送信した前記被管理装置に前記電力抑制解除通知を送信することを特徴とする請求項１から３のいずれか一項に記載の電力抑制システム。
【請求項６】
前記電力監視装置は、ネットワークを介して外部から前記電力抑制設定通知及び電力抑制解除通知を受信し、前記電力管理装置に転送することを特徴とする請求項４に記載の電力抑制システム。
【請求項７】
電力管理装置から電力抑制設定通知または電力抑制解除通知を受信する電力抑制設定／解除通知受信部と、
前記電力抑制設定通知を入力すると操作パネルの使用を禁止して操作パネルの電源をオフにし、前記電力抑制解除通知を受信すると操作パネルの使用を許可して操作パネルの電源をオンにする電力抑制設定／解除部と、
ジョブ実行要求通知をモバイル端末から受信するジョブ実行要求通知受信部と、
前記ジョブ実行要求通知に格納された機能番号の機能を実行するジョブ実行部とを備えることを特徴とする被管理装置。
【請求項８】
前記電力抑制設定／解除通知受信部が前記電力抑制設定通知を受信したときには、前記ジョブ実行部は、前記ジョブ実行要求通知に格納されたユーザー識別情報に対応するユーザー権限に応じて機能毎の使用制限を行うことを特徴とする請求項７に記載の被管理装置。
【請求項９】
前記電力抑制設定／解除通知受信部が前記電力抑制解除通知を受信したときには、前記ジョブ実行部は、ユーザー権限に応じた機能毎の使用制限を解除することを特徴とする請求項８に記載の被管理装置。
【発明の詳細な説明】
【技術分野】
【０００１】
本発明は、電力の消費を抑制するシステム、及び画像形成装置に係り、特にスマートグリッドにより電力の消費を抑制する電力抑制システム、及び画像形成装置に関する。
【背景技術】
【０００２】
近年、通信技術を利用したスマートグリッド（次世代送電網）により電力の需要と供給のバランスを取ることで、電力の安定供給を行うことが可能である。スマートグリッドは、各家庭やオフィスにスマートメーターと用ばれる電力計を設置し、スマートメーターと家庭やオフィスに設置されている機器とを接続することで、機器が消費している電力量や電力料金をリアルタイムでＰＣ（パソコン）、または携帯パソコン、スマートフォン、またはタブレット端末など（以下、「モバイル端末」という）に表示することができる。これにより、各家庭やオフィスは、電気料金の高い時間帯に電気を多量に消費する機器を動作させないようにし、電気料金の安い時間帯に蓄電や機器の充電を行うことができる。また、電力を供給する会社（以下、「電力会社」という）がスマートメーターを経由して機器が消費する電力を制御することで、電力の需要が供給を超えないようにして電力不足による停電を防止することができる。例えば、スマートメーターとエアコン（エアー・コンディショナ）を接続し、電力の需要が供給を超えそうなときにスマートメーターによりエアコンの温度を高くする制御を行うことで、電力不足による停電を防止することができる。このように、各家庭やオフィスにスマートメーターが設置され、スマートメーターと接続する機器を増やすことで、節電や電力の安定供給が可能となる。また、特許文献１に記載されているように、スマートグリッド管理装置が、全ての画像形成装置と接続しているスマートメーターから電力に関する情報を収集し、全ての画像形成装置に対して効率よく電力を供給するための管理を行っている。
【先行技術文献】
【特許文献】
【０００３】
【特許文献１】特開２０１４−１６５５３１号公報
【発明の概要】
【発明が解決しようとする課題】
【０００４】
しかし、特許文献１の画像形成装置では、スマートグリッド管理装置がスマートメーターから情報を収集することで全ての画像形成装置に対する電力の供給を管理することができるが、電力会社がスマートメーターを経由して画像形成装置が消費する電力を制御することができない。
【０００５】
本発明はこのような状況に鑑みてなされたものであり、上記課題を解決できる電力抑制システム、及び画像形成装置を提供することを目的とする。
【課題を解決するための手段】
【０００６】
本発明の電力抑制システムは、ネットワークを介して接続された電力管理装置、モバイル端末、及び被管理装置を有し、前記モバイル端末は、実行要求されたジョブの機能番号を格納したジョブ実行要求通知を出力するジョブ実行要求部と、前記ジョブ実行要求部から前記ジョブ実行要求通知を入力して前記被管理装置に送信するジョブ実行要求通知送信部とを備え、前記被管理装置は、前記電力管理装置から電力抑制設定通知または電力抑制解除通知を受信する電力抑制設定／解除通知受信部と、前記電力抑制設定通知を入力すると操作パネルの使用を禁止して操作パネルの電源をオフにし、前記電力抑制解除通知を受信すると操作パネルの使用を許可して操作パネルの電源をオンにする電力抑制設定／解除部と、前記ジョブ実行要求通知を前記モバイル端末から受信するジョブ実行要求通知受信部と、前記ジョブ実行要求通知に格納された前記機能番号の機能を実行するジョブ実行部とを備えることを特徴としている。
また、本発明の電力抑制システムの前記ジョブ実行要求部は、ジョブの実行要求を行ったユーザーのユーザー識別情報を前記ジョブ実行要求通知に格納し、前記電力抑制設定／解除通知受信部が前記電力抑制設定通知を受信したときには、前記ジョブ実行部は、前記ジョブ実行要求通知に格納されたユーザー識別情報に対応するユーザー権限に応じて機能毎の使用制限を行うことを特徴としている。
また、本発明の電力抑制システムの前記電力抑制設定／解除通知受信部が前記電力抑制解除通知を受信したときには、前記ジョブ実行部は、ユーザー権限に応じた機能毎の使用制限を解除することを特徴としている。
また、本発明の電力抑制システムの前記電力管理装置は、ネットワークを介して外部から前記電力抑制設定通知及び電力抑制解除通知を受信し、前記電力抑制設定／解除通知受信部に転送することを特徴としている。
また、本発明の電力抑制システムは、電力監視装置を有し、前記電力管理装置は、前記電力監視装置から電力抑制設定通知を受信すると前記被管理装置の情報に基づいて前記電力抑制設定通知を送信する前記被管理装置を選択し、前記電力監視装置から電力抑制解除通知を受信すると前記電力抑制設定通知を送信した前記被管理装置に前記電力抑制解除通知を送信することを特徴としている。
また、本発明の電力抑制システムの前記電力監視装置は、ネットワークを介して外部から前記電力抑制設定通知及び電力抑制解除通知を受信し、前記電力管理装置に転送することを特徴とする請求項４に記載の電力抑制システム。
本発明の被管理装置は、電力管理装置から電力抑制設定通知または電力抑制解除通知を受信する電力抑制設定／解除通知受信部と、前記電力抑制設定通知を入力すると操作パネルの使用を禁止して操作パネルの電源をオフにし、前記電力抑制解除通知を受信すると操作パネルの使用を許可して操作パネルの電源をオンにする電力抑制設定／解除部と、ジョブ実行要求通知をモバイル端末から受信するジョブ実行要求通知受信部と、前記ジョブ実行要求通知に格納された機能番号の機能を実行するジョブ実行部とを備えることを特徴としている。
また、本発明の被管理装置は、前記電力抑制設定／解除通知受信部が前記電力抑制設定通知を受信したときには、前記ジョブ実行部は、前記ジョブ実行要求通知に格納されたユーザー識別情報に対応するユーザー権限に応じて機能毎の使用制限を行うことを特徴としている。
また、本発明の被管理装置の前記電力抑制設定／解除通知受信部が前記電力抑制解除通知を受信したときには、前記ジョブ実行部は、ユーザー権限に応じた機能毎の使用制限を解除することを特徴としている。
【発明の効果】
【０００７】
本発明の電力抑制システム、及び画像形成装置は、電力会社がスマートメーターを経由して画像形成装置の消費電力を制御することができる。
【図面の簡単な説明】
【０００８】
【図１】本発明の実施形態に係る電力抑制システムのシステム構成を示す図である。
【図２】図１に示す電力抑制システムの画像形成装置及びモバイル端末の機能構成を示す図である。
【図３】本発明の実施形態に係る電力抑制機能指定テーブルの構成を示す図である。
【図４】本発明の実施形態に係る電力抑制設定／解除処理の流れを示すフローチャートである。
【図５】本発明の実施形態に係るジョブ実行処理の流れを示すフローチャートである。
【発明を実施するための形態】
【０００９】
以下、本発明を実施するための形態（以下、「実施形態」という）を、図面を参照して説明する。実施形態の電力抑制システムは、企業オフィスが電力会社とＢＥＭＳ(Building Energy Management System；ビル管理システム)契約している場合において、スマートメーターと画像形成装置が企業オフィスのネットワークに接続されている。このような電力抑制システムにおいて、画像形成装置が電力会社からスマートメーターを経由して電力抑制設定通知を受信すると、画像形成装置の操作パネルの電源をオフすることで消費電力を抑制する。また、このような消費電力の抑制中では、画像形成装置に対する操作はモバイル端末から行うことができ、画像形成装置に対してユーザー権限に応じた機能毎の使用制限を行うことで、更に消費電力を抑制する。
【００１０】
まず、本実施形態の電力抑制システム１０の概要について、図１を用いて説明する。図１に示すように、電力抑制システム１０は、送電調整装置１００、スマートメーター２００、複数の画像形成装置３００、複数のモバイル端末４００、複数のアクセスポイント５００、ネットワーク６００、及び広域ネットワーク７００から構成されている。送電調整装置１００は、電力会社１１に設置されている。スマートメーター２００、複数の画像形成装置３００、複数のモバイル端末４００、複数のアクセスポイント５００、及びネットワーク６００は、企業オフィス１２に設置されている。
【００１１】
送電調整装置１００は、電力の需要と供給のバランスを保つために、送信電力を調整する。また、送電調整装置１００は、電力の需要が供給を超えそうなときには、ＢＥＭＳ契約している企業オフィスのスマートメーター２００に電力抑制設定通知を送信し、電力の需要が供給を超えそうでないときには、企業オフィスの電力抑制設定通知を送信したスマートメーター２００に電力抑制解除通知を送信する。
【００１２】
スマートメーター２００は、送電調整装置１００からの電力抑制設定通知または電力抑制解除通知を受信すると、ネットワーク６００に接続されている全ての画像形成装置３００に電力抑制設定通知または電力抑制解除通知を送信する。
【００１３】
画像形成装置３００は、プリンター、多機能プリンター、多機能周辺装置、または複合機などのＭＦＰ（Ｍｕｌｔｉｆｕｎｃｔｉｏｎａｌ  Ｐｅｒｉｐｈｅｒａｌ）であり、近距離無線通信、またはネットワーク６００によりモバイル端末４００とデータの送受信を行うことができる。また、画像形成装置３００は、スマートメーター２００から電力抑制設定通知を受信すると、画像形成装置の操作パネルの電源をオフにして、ユーザー権限に応じた機能毎の使用制限を行う。また、画像形成装置３００は、スマートメーター２００から電力抑制解除通知を受信すると、画像形成装置の操作パネルの電源をオンにして、ユーザー権限に応じた機能毎の使用制限を解除する。また、画像形成装置３００は、モバイル端末４００から受信するジョブ実行要求のジョブを実行することができる。
【００１４】
モバイル端末４００は、携帯パソコン、スマートフォン、またはタブレット端末等であり、近距離無線通信、ネットワーク６００のアクセスポイント５００により画像形成装置３００とデータの送受信を行うことができる。また、モバイル端末４００は、画像形成装置３００にジョブ実行要求を送信することができる。
【００１５】
アクセスポイント５００は、ネットワーク６００に接続され、無線通信によりアクセスポイント５００に対して接続要求を行っているモバイル端末４００をネットワーク６００に接続する。
【００１６】
ネットワーク６００は、ＬＡＮ（Local Area Network）などの企業オフィス１２のネットワーク(イントラネット等)であり、複数の画像形成装置３００、複数のアクセスポイント５００、及びスマートメーター２００を接続する。
【００１７】
広域ネットワーク７００は、ＷＡＮ（Wide Area Network；広域通信網）であり、地理的に離れた地点にある送電調整装置１００とスマートメーター２００を専用線で接続する。
【００１８】
次に、電力抑制システム１０の画像形成装置３００とモバイル端末４００の機能構成について、図２を用いて説明する。図２に示す画像形成装置３００とモバイル端末４００は、図１に示す電力抑制システム１０における１台の画像形成装置３００と、アクセスポイント５００に接続されている１台のモバイル端末４００の機能構成を示しているが、他の画像形成装置３００、他のモバイル端末４００についても同様の機能構成である。
【００１９】
まず、画像形成装置３００の機能構成について、図２を用いて説明する。図２に示す画像形成装置３００は、制御部３１０、メモリー部３２０、データ記憶部３３０、操作パネル３４０、操作パネル処理部３５０、原稿読取部３６０、画像処理部３７０、印刷部３８０、近距離無線通信部３９１、及びネットワーク通信部３９２（電力抑制設定／解除通知受信部、ジョブ実行要求通知受信部）を備え、これら各部はバスなどにより接続される構成となっている。制御部３１０には、電力抑制設定／解除処理部３１０ａとジョブ実行処理部３１０ｂが設けられている。メモリー部３２０には、ユーザー情報記憶エリア３２０ａと電力抑制機能指定テーブル３２０ｂが設けられている。データ記憶部３３０には、画像データ記憶エリア３３０ａが設けられている。
【００２０】
制御部３１０は、ＲＡＭやＲＯＭ等の主記憶装置、及びＣＰＵ(Central Processing Unit)等の制御装置を備えている。また、制御部３１０は、各種Ｉ／Ｏや、ＵＳＢ（ユニバーサル・シリアル・バス）等のインターフェイス、バスコントローラー等を含む総合的な画像形成装置３００の制御を行う。
電力抑制設定／解除処理部３１０ａは、スマートメーター２００から電力抑制設定通知を受信すると操作パネル３４０の電源をオフにし、スマートメーター２００から電力抑制解除通知を受信すると操作パネル３４０の電源をオンにする。なお、電力抑制設定／解除処理部３１０ａが実行する電力抑制設定／解除処理の詳細については、後述する。
ジョブ実行処理部３１０ｂは、モバイル端末４００から送信されるジョブ実行要求通知を入力すると、ジョブ実行要求通知のジョブを実行する。なお、ジョブ実行処理部３１０ｂが実行するジョブ実行処理の詳細については、後述する。
【００２１】
メモリー部３２０は、フラッシュメモリー等の補助記憶装置で、制御部３１０が実行する処理のプログラムやデータを記憶する。
ユーザー情報記憶エリア３２０ａは、ユーザー識別情報のユーザーの氏名、所属、権限、及びメールアドレスなどのユーザー情報を記憶している。
電力抑制機能指定テーブル３２０ｂは、画像形成装置３００が電力抑制設定通知を受信したときに、ユーザー権限に応じて画像形成装置３００の使用制限を行う機能を指定する。なお、電力抑制機能指定テーブル３２０ｂの構成については、後述する。
【００２２】
データ記憶部３３０は、データやプログラムを記憶するハードディスクドライブである。
画像データ記憶エリア３３０ａは、原稿読取部３６０が読み取り画像処理部３７０により処理された原稿の画像、ネットワーク通信部３９２を経由してモバイル端末３００から受信した画像を記憶する。
【００２３】
操作パネル３４０は、操作画面やメッセージの表示、画像の表示、ユーザーによる操作受け付けを行う液晶パネルである。
【００２４】
操作パネル処理部３５０は、画像形成装置３００が備えている機能に対する操作項目やメッセージを操作パネル３４０に表示する処理、画像を操作パネル３４０に表示する処理、または操作パネル３４０からユーザーの操作を入力する処理を行う。
【００２５】
原稿読取部３６０は、ユーザーが操作パネル３４０から読み取り操作を行うと、画像形成装置３００の原稿台にセットされた原稿の読み取りを行い、読み取った原稿の画像を画像処理部３７０に出力する。
【００２６】
画像処理部３７０は、原稿読取部３６０から画像を入力すると、印刷可能な画像イメージやＦＡＸやメールで送信可能なイメージの画像に変換して画像データ記憶エリア３３０ａに記憶する。
【００２７】
印刷部３８０は、印刷要求のあった画像を入力し、コピー用紙などに印刷する。
【００２８】
近距離無線通信部３９１は、近距離無線通信規格であるBluetooth（登録商標）や赤外線通信により、モバイル端末４００と近距離で無線通信を行う。
【００２９】
ネットワーク通信部３９２は、着脱可能なＬＡＮインターフェイスを備え、ネットワーク６００に接続する。ＬＡＮインターフェイスには、ＴＣＰ／ＩＰ、ＡｐｐｌｅＴａｌｋ、ＳＭＢ等の各種ネットワークプロトコルのインテリジェントな送受信を行うネットワーク部を含んでいる。また、ネットワーク通信部３９２は、スマートメーター２００から電力抑制設定通知または電力抑制解除通知を受信すると、電力抑制設定／解除処理部３１０ａに出力する。また、モバイル端末４００からジョブ実行要求通知を受信すると、ジョブ実行処理部３１０ｂに出力する。
【００３０】
次に、モバイル端末４００の機能構成について、図２を用いて説明する。図２に示すモバイル端末４００は、制御部４１０、メモリー部４２０、近距離無線通信部４３０、操作パネル４４０、操作パネル処理部４５０、及びネットワーク通信部４６０（ジョブ実行要求通知送信部）を備え、これら各部はバスなどにより接続される構成となっている。制御部４１０には、ジョブ実行要求処理部４１０ａが設けられている。メモリー部４２０には、画像データ記憶エリア４２０ａが設けられている。
【００３１】
制御部４１０は、ＲＡＭやＲＯＭ等の主記憶装置、及びＣＰＵ(Central Processing Unit)等の制御装置を備えている。また、制御部４１０は、各種Ｉ／Ｏや、ＵＳＢ（ユニバーサル・シリアル・バス）等のインターフェイス、バスコントローラー等を含む総合的なモバイル端末４００のコントロールを行う。
ジョブ実行要求処理部４１０ａは、ユーザー識別情報、ジョブにより実行する機能、及び印刷またはＦＡＸの機能を実行するときには画像などを操作パネル処理部４５０から入力すると、ジョブ実行要求通知に格納し、ジョブ実行要求通知をネットワーク通信部４６０に出力する。
【００３２】
メモリー部４２０は、フラッシュメモリー等の補助記憶装置で、制御部４１０が実行する処理のプログラムやデータを記憶する。
画像データ記憶エリア４２０ａは、文書作成ソフトウェア又は作図ソフトウェアなどでユーザーが作成した画像を記憶する。
【００３３】
近距離無線通信部４３０は、近距離無線通信規格であるBluetooth（登録商標）や赤外線通信により、画像形成装置３００と近距離で無線通信を行う。
【００３４】
操作パネル４４０は、操作画面やメッセージの表示、画像の表示、ユーザーによる操作受け付けを行う液晶パネルである。
【００３５】
操作パネル処理部４５０は、モバイル端末３００が備えている機能に対する操作項目やメッセージを操作パネル４４０に表示する処理、画像を操作パネル４４０に表示する処理、または操作パネル４４０からユーザーの操作を入力する処理を行う。
【００３６】
ネットワーク通信部４６０は、着脱可能なＬＡＮインターフェイスを備え、アクセスポイント５００を介してネットワーク６００に接続する。ＬＡＮインターフェイスには、ＴＣＰ／ＩＰ、ＡｐｐｌｅＴａｌｋ、ＳＭＢ等の各種ネットワークプロトコルのインテリジェントな送受信を行うネットワーク部を含んでいる。また、ネットワーク通信部４６０は、ジョブ実行要求処理部４１０ａからジョブ実行要求通知を入力すると、画像形成装置３００に送信する。
【００３７】
次に、画像形成装置３００の電力抑制機能指定テーブル３２０ｂの構成について、図３を用いて説明する。電力抑制機能指定テーブル３２０ｂには、図３に示すように「機能番号」、「機能番号」に対応する「機能名称」、「電力抑制」の項目が設けられている。「機能番号」は、画像形成装置３００が備えている機能に付される昇順のユニークな番号である。「機能名称」は、「機能番号」に対応する機能の名称である。「電力抑制」は、「責任者」と「一般者」の項目が設けられ、画像形成装３００が電力抑制設定通知を受信したときの「責任者」と「一般者」に対して機能の使用を許可するかまたは禁止するかが指定されている。例えば、「機能番号」が「１」の「機能名称」が「カラー印刷」である「電力抑制」の「責任者」に「○」が指定され、「一般者」に「×」が指定されているので、電力抑制設定通知を受信したときには、責任者はカラー印刷を行うことができるが、一般者はカラー印刷を行うことができない。
【００３８】
次に、画像形成装置３００の電力抑制設定／解除処理部３１０ａが実行する電力抑制設定／解除処理の詳細について説明する。画像形成装置３００のネットワーク通信部３９２がスマートメーター２００から電力抑制設定通知または電力抑制解除通知を受信すると、制御部３１０に電力抑制設定通知または電力抑制解除通知を出力する。制御部３１０は、電力抑制設定通知または電力抑制解除通知を入力すると、電力抑制設定／解除処理部３１０ａを起動する。電力抑制設定／解除処理部３１０ａが起動されると、電力抑制設定／解除処理部３１０ａは、電力抑制設定／解除処理を開始する。以下、図４に示す電力抑制設定／解除処理のフローチャートを用いてステップ順に説明する。
【００３９】
（ステップＳ１０１）
まず、電力抑制設定／解除処理部３１０ａは、電力抑制設定通知であるかを判断する。電力抑制設定通知であるとき（ステップＳ１０１のＹｅｓ）は、ステップＳ１０２に進む。電力抑制設定通知でなく電力抑制解除通知であるとき（ステップＳ１０１のＮｏ）は、ステップＳ１０４に進む。
【００４０】
（ステップＳ１０２）
ステップＳ１０１のＹｅｓにおいて、電力抑制設定／解除処理部３１０ａは、電力抑制モードフラグに「１」をセットし、メモリー部３２０に記憶する。
【００４１】
（ステップＳ１０３）
次いで、電力抑制設定／解除処理部３１０ａは、操作パネル処理部３５０の実行を禁止し、また操作パネル３４０の電源をオフにすると、電力抑制設定／解除処理を終了する。
【００４２】
（ステップＳ１０４）
ステップＳ１０１のＮｏにおいて、電力抑制設定／解除処理部３１０ａは、電力抑制モードフラグに「０」をセットし、メモリー部３２０に記憶する。
【００４３】
（ステップＳ１０５）
次いで、電力抑制設定／解除処理部３１０ａは、操作パネル処理部３５０の実行を許可し、また操作パネル３４０の電源をオンにすると、電力抑制設定／解除処理を終了する。
【００４４】
次に、画像形成装置３００のジョブ実行処理部３１０ｂが実行するジョブ実行処理の詳細について説明する。ユーザーがユーザー識別情報、ジョブにより実行する機能、及び印刷またはＦＡＸの機能を実行するときには画像などをモバイル端末４００の操作パネル４４０から入力すると、操作パネル処理部４５０がユーザー識別情報、機能、及び画像を制御部４１０に出力し、制御部４１０がユーザー識別情報、機能、及び画像を入力すると、ジョブ実行要求処理部４１０ａを起動する。ジョブ実行要求処理部４１０ａが起動されると、ジョブ実行要求処理部４１０ａは、機能を機能番号に変換し、ユーザー識別情報、機能番号、及び画像を格納したジョブ実行要求通知をネットワーク通信部４６０により画像形成装置３００に送信する。画像形成装置３００のネットワーク通信部３９２がジョブ実行要求通知を受信すると、制御部３１０に出力する。制御部３１０は、ジョブ実行要求通知を入力すると、ジョブ実行処理部３１０ｂを起動する。ジョブ実行処理部３１０ｂが起動されると、ジョブ実行処理部３１０ｂは、ジョブ実行処理を開始する。以下、図５に示すジョブ実行処理のフローチャートを用いてステップ順に説明する。
【００４５】
（ステップＳ２０１）
まず、ジョブ実行処理部３１０ｂは、ジョブ実行要求通知からユーザー識別情報、機能番号、及び画像を取り出す。
【００４６】
（ステップＳ２０２）
次いで、ジョブ実行処理部３１０ｂは、メモリー部３２０に記憶されている電力抑制モードフラグに「１」がセットされているかを判断する。電力抑制モードフラグに「１」がセットされているとき（ステップＳ２０２のＹｅｓ）は、ステップＳ２０３に進む。電力抑制モードフラグに「１」でなく「０」がセットされているとき（ステップＳ２０２のＮｏ）は、ステップＳ２０８に進む。
【００４７】
（ステップＳ２０３）
次いで、ジョブ実行処理部３１０ｂは、ステップＳ２０１で取り出したユーザー識別情報に対する権限をユーザー情報記憶エリア３２０ａから取り出す。
【００４８】
（ステップＳ２０４）
次いで、ジョブ実行処理部３１０ｂは、ステップＳ２０１で取り出した機能番号と、ステップＳ２０３で取り出した権限に対する「許可」または「禁止」の指定を電力抑制機能指定テーブル３２０ｂから取り出す。例えば、電力抑制機能指定テーブル３２０ｂの機能番号が「２」のモノクロ印刷において、権限が「責任者」であれば「許可」が取り出され、権限が「一般者」であれば「禁止」が取り出される。
【００４９】
（ステップＳ２０５）
次いで、ジョブ実行処理部３１０ｂは、ステップＳ２０４で取り出した指定が「許可」であるかを判断する。指定が「許可」であるとき（ステップＳ２０５のＹｅｓ）は、ステップＳ２０６に進む。指定が「許可」でなく「禁止」であるとき（ステップＳ２０５のＮｏ）は、ステップＳ２０７に進む。
【００５０】
（ステップＳ２０６）
ステップＳ２０５のＹｅｓにおいて、ジョブ実行処理部３１０ｂは、ステップＳ２０１で取り出した機能番号の機能を実行し、ジョブ実行処理を終了する。例えば、機能番号が「２」のモノクロ印刷であれば、ステップＳ２０１でジョブ実行要求通知から取り出した画像と機能番号を印刷部３８０に出力して印刷処理を実行すると、印刷部３８０が画像のモノクロ印刷を行う。
【００５１】
（ステップＳ２０７）
ステップＳ２０５のＮｏにおいて、ジョブ実行処理部３１０ｂは、ジョブ実行不可通知をネットワーク通信部３９２によりモバイル端末４００に送信し、ジョブ実行処理を終了する。モバイル端末４００は、ネットワーク通信部４６０によりジョブ実行不可通知を受信すると、操作パネル処理部４５０が操作パネル４４０にジョブ実行不可のメッセージを表示する。
【００５２】
（ステップＳ２０８）
ステップＳ２０２のＮｏにおいて、ジョブ実行処理部３１０ｂは、ステップＳ２０１で取り出した機能番号の機能を実行し、ジョブ実行処理を終了する。
【００５３】
以上により、画像形成装置３００が電力会社１１からスマートメーター２００を経由して電力抑制設定通知を受信すると、ユーザーが操作パネル３４０を使用できないようにし、ユーザー権限に応じた画像形成装置３００の機能毎の使用に対する制限を設定することができるので、画像形成装置３００の消費電力を容易に抑制することができる。また、画像形成装置３００が電力会社１１からスマートメーター２００を経由して電力抑制解除通知を受信すると、ユーザーが操作パネル３４０を使用できるようにし、ユーザー権限に応じた画像形成装置３００の機能毎の使用に対する制限を解除することができるので、画像形成装置３００の消費電力の抑制を容易に通常に戻すことができる。
【００５４】
なお、実施形態においては、スマートメーター２００からネットワーク６００に接続されている全ての画像形成装置３００に電力抑制設定通知と電力抑制解除通知を送信するが、これに限定されない。例えば、電力抑制システム１０に管理サーバーを設け、この管理サーバーをネットワーク６００に接続することで、スマートメーター２００から管理サーバーに電力抑制設定通知と電力抑制解除通知を送信することができる。これにより、管理サーバーが電力抑制設定通知を受信すると、画像形成装置の使用頻度、または電力の消費量の情報に基づいて、使用頻度、または電力消費量の高い画像形成装置を選択し、選択した画像形成装置３００にだけ電力抑制設定通知を送信できる。また、管理サーバーが電力抑制設定通知を受信すると、画像形成装置の設置場所の情報に基づいて、予め指定された設置場所の画像形成装置を選択し、選択した画像形成装置３００にだけ電力抑制設定通知を送信できる。また、管理サーバーが電力抑制解除通知を受信すると、電力抑制設定通知を送信した画像形成装置３００にだけ電力抑制解除通知を送信することができる。従って、企業オフィス１２のスマートメーター２００が電力抑制設定通知を受信した場合でも、操作パネル３４０の使用禁止やユーザー権限に応じた機能毎の使用制限を行わない画像形成装置３００を選択し、選択した画像形成装置３００に対して電力抑制設定通知または電力抑制解除通知を送信しないことも可能である。
【００５５】
また、実施形態においては、印刷機能やＦＡＸ機能について機能毎の使用制限を行うか否かについて説明したが、これに限定されない。例えば、画像形成装置３００のフィニッシャーのステープル機能（ホチキス止め）、折り機能、及び穴開け機能についても同様に使用制限を行うか否かを指定することができる。更に、指定された枚数以上の印刷を制限するか否かなどについても指定も行うことができる。
【００５６】
また、実施形態においては、モバイル端末４００からのジョブ実行要求通知をネットワーク６００により画像形成装置３００に送信するが、これに限定されない。例えば、モバイル端末４００からのジョブ実行要求通知を近距離無線通信により画像形成装置３００に送信することも可能である。
【００５７】
このような本発明の電力抑制システム、及び画像形成装置は、電力会社がスマートメーターを経由して画像形成装置の消費電力を制御することができる。
【００５８】
以上、具体的な実施の形態により本発明を説明したが、上記実施の形態は本発明の例示であり、この実施の形態に限定されないことは言うまでもない。
【産業上の利用可能性】
【００５９】
本発明は、画像形成装置の電力抑制システム、及び画像形成装置に適用できるが、画像形成装置の電力抑制システムに限られるものでなく、一般的な機器が使用する電力の消費を抑制するシステム一般に適用できる。
【符号の説明】
【００６０】
１０・・・・・電力抑制システム
１００・・・・・送電調整装置
２００・・・・・スマートメーター（電力管理装置）
３００・・・・・画像形成装置（被管理装置）
３１０・・・・・制御部
３１０ａ・・・・電力抑制設定／解除処理部
３１０ｂ・・・・ジョブ実行処理部
３２０・・・・・メモリー部
３２０ａ・・・・ユーザー情報記憶エリア
３２０ｂ・・・・電力抑制機能指定テーブル
３３０・・・・・データ記憶部
３３０ａ・・・・画像データ記憶エリア
３４０・・・・・操作パネル
３５０・・・・・操作パネル処理部
３６０・・・・・原稿読取部
３７０・・・・・画像処理部
３８０・・・・・印刷部
３９１・・・・・近距離無線通信部
３９２・・・・・ネットワーク通信部
４００・・・・・モバイル端末
４１０・・・・・制御部
４１０ａ・・・・ジョブ実行要求処理部
４２０・・・・・メモリー部
４２０ａ・・・・画像データ記憶エリア
４３０・・・・・近距離無線通信部
４４０・・・・・操作パネル
４５０・・・・・操作パネル処理部
４６０・・・・・ネットワーク通信部
５００・・・・・アクセスポイント
６００・・・・・ネットワーク
７００・・・・・広域ネットワーク
【図１】
2016103776.tif 000003
【図２】
2016103776.tif 000004
【図３】
2016103776.tif 000005
【図４】
2016103776.tif 000006
【図５】
2016103776.tif 000007